(57)【要約】  本開示は、ワイヤレス通信において低減されたレイテンシのためのサービス期間（ＳＰ）に関連するパラメータを設定するための方法、装置、およびコンピュータ読み取り可能な媒体を提供する。装置は、装置で媒体アクセス制御（ＭＡＣ）レイヤでのデータの量が単一の送信機会（ＴＸＯＰ）において送信可能なデータの最大量を超えるかどうかを決定し得る。そうである場合、装置は、データの送信のためのＳＰの持続時間を、データを送信するために必要とされる持続時間以上であるように設定し、そして装置は、ＳＰの設定された持続時間の間にデータを送信する。装置はまた、サービス期間間隔（ＳＰＩ）の持続時間をＳＰの持続時間以上、かつ単一のＴＸＯＰを使用してデータを送信するための持続時間以下であるように設定し得る。データは、等時性データまたは割り込みデータのような、レイテンシセンシティブデータであり得る。
2018516487.tif 000002
【特許請求の範囲】
【請求項１】
装置によるワイヤレス通信の方法であって、
前記装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信することと
を備える、方法。
【請求項２】
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
をさらに備える、請求項１に記載の方法。
【請求項３】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、請求項２に記載の方法。
【請求項４】
前記ＳＰの前記持続時間および前記ＳＰＩの前記持続時間は、前記データのレイテンシ要件を示すインジケータに基づいて設定される、請求項２に記載の方法。
【請求項５】
前記データは、レイテンシセンシティブデータを備える、請求項１に記載の方法。
【請求項６】
前記レイテンシセンシティブデータは、等時性データまたは割り込みデータのうちの少なくとも１つを備える、請求項５に記載の方法。
【請求項７】
前記ＭＡＣレイヤでのデータの前記量が前記単一のＴＸＯＰにおいて送信可能なデータの前記最大量を超えない場合、前記単一のＴＸＯＰを使用して前記データを送信すること
をさらに備える、請求項１に記載の方法。
【請求項８】
ワイヤレス通信のための装置であって、
メモリと、
トランシーバと、
前記メモリおよび前記トランシーバに通信可能に結合される少なくとも１つのプロセッサと、ここにおいて、前記少なくとも１つのプロセッサは、
前記装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信するために前記トランシーバを利用することと
を行うように構成される、
を備える、装置。
【請求項９】
前記少なくとも１つのプロセッサは、
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
を行うようにさらに構成される、請求項８に記載の装置。
【請求項１０】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、請求項９に記載の装置。
【請求項１１】
前記ＳＰの前記持続時間および前記ＳＰＩの前記持続時間は、前記データのレイテンシ要件を示すインジケータに基づいて設定される、請求項９に記載の装置。
【請求項１２】
前記データは、レイテンシセンシティブデータを備える、請求項８に記載の装置。
【請求項１３】
前記レイテンシセンシティブデータは、等時性データまたは割り込みデータのうちの少なくとも１つを備える、請求項１２に記載の装置。
【請求項１４】
前記少なくとも１つのプロセッサは、
前記ＭＡＣレイヤでのデータの前記量が前記単一のＴＸＯＰにおいて送信可能なデータの前記最大量を超えない場合、前記単一のＴＸＯＰを使用して前記データを送信するために前記トランシーバを利用することを行うようにさらに構成される、請求項８に記載の装置。
【請求項１５】
コンピュータ読み取り可能な媒体であって、
装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信することと
を行うために構成されるコンピュータ実行可能なコードを備える、コンピュータ読み取り可能な媒体。
【請求項１６】
前記コンピュータ実行可能なコードは、
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
を行うためにさらに構成される、請求項１５に記載のコンピュータ読み取り可能な媒体。
【請求項１７】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、請求項１６に記載のコンピュータ読み取り可能な媒体。
【請求項１８】
前記ＳＰの前記持続時間および前記ＳＰＩの前記持続時間は、前記データのレイテンシ要件を示すインジケータに基づいて設定される、請求項１６に記載のコンピュータ読み取り可能な媒体。
【請求項１９】
前記データは、レイテンシセンシティブデータを備える、請求項１５に記載のコンピュータ読み取り可能な媒体。
【請求項２０】
前記レイテンシセンシティブデータは、等時性データまたは割り込みデータのうちの少なくとも１つを備える、請求項１９に記載のコンピュータ読み取り可能な媒体。
【請求項２１】
前記コンピュータ実行可能なコードは、
前記ＭＡＣレイヤでのデータの前記量が前記単一のＴＸＯＰにおいて送信可能なデータの前記最大量を超えない場合、前記単一のＴＸＯＰを使用して前記データを送信するためにさらに構成される、請求項１５に記載のコンピュータ読み取り可能な媒体。
【請求項２２】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定され、
前記データは、等時性データまたは割り込みデータのうちの少なくとも１つを備える、レイテンシセンシティブデータを備える、請求項１６に記載のコンピュータ読み取り可能な媒体。
【請求項２３】
ワイヤレス通信のための装置であって、
前記装置で媒体アクセス制御（ＭＡＣ）レイヤでのデータの量が単一の送信機会（ＴＸＯＰ）において送信可能なデータの最大量を超えるかどうかを決定するための手段と、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信するための手段と
を備える、装置。
【請求項２４】
サービス期間間隔（ＳＰＩ）の持続時間を前記ＳＰの前記持続時間以上、かつ２つ以上のＴＸＯＰを使用して前記データを送信するための持続時間以下であるように設定するための手段、ここにおいて、前記ＳＰＩは、前記ＳＰの周期性に対応する、
をさらに備える、請求項２３に記載の装置。
【請求項２５】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、請求項２４に記載の装置。
【請求項２６】
前記ＳＰの前記持続時間および前記ＳＰＩの前記持続時間は、前記データのレイテンシ要件を示すインジケータに基づいて設定される、請求項２４に記載の装置。
【請求項２７】
前記データは、レイテンシセンシティブデータを備える、請求項２３に記載の装置。
【請求項２８】
前記レイテンシセンシティブデータは、等時性データまたは割り込みデータのうちの少なくとも１つを備える、請求項２７に記載の装置。
【請求項２９】
前記ＭＡＣレイヤでのデータの前記量が前記単一のＴＸＯＰにおいて送信可能なデータの前記最大量を超えない場合、前記単一のＴＸＯＰを使用して前記データを送信するための手段、
をさらに備える、請求項２３に記載の装置。
【請求項３０】
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定され、
前記データは、等時性データまたは割り込みデータのうちの少なくとも１つを備える、レイテンシセンシティブデータを備える、請求項２４に記載の装置。
【発明の詳細な説明】
【関連出願の相互参照】
【０００１】
[0001]  本願は、その全てのコンテンツが、参照により本明細書に組み込まれる２０１５年４月８日に米国特許商標庁に出願された米国非仮特許出願第１４／６８２，０２８号に対して優先権、およびその利益を主張する。
【技術分野】
【０００２】
[0002]  本開示の態様は一般的に、ワイヤレス通信に関し、より具体的には、ワイヤレス通信において低減されたレイテンシのためのサービス期間（ＳＰ）に関連するパラメータを設定することに関する。
【背景技術】
【０００３】
[0003]  ワイヤレス通信ネットワークは、電話（telephony）、ビデオ、データ、メッセージング、ブロードキャスト、および他の適切なサービスのような様々な通信サービスを提供するために広く展開されている。最近の関心は、そのような通信の効率を高めること、ならびに全体のユーザ経験（overall user experience）を改善することに向けられている。様々な通信ネットワークが、チャネルにわたってデータを送信するべきかどうかを決定するためにコンテンションベースのシステムを利用し得る。例えば、装置は、‘スピークする（speaking）’（例えば、チャネル上で送信する）前に‘静かにする（remain quiet）’（例えば、送信することを控える）および‘リスンする（listen）’（例えば、チャネル上で別の信号の存在を検出する）可能性がある。
【０００４】
[0004]  そのようなコンテンションベースのシステムは、送信の各期間の間で遅延を導入する。装置が‘静かにしている’および‘リスンしている’間は、装置は、‘スピークして’いない。装置は、そのような時間期間（periods of time）の間に‘スピークする’ことが可能でないため、以下の望ましくない影響が発生し得る：（１）送信されるべきデータの待ち行列がどんどん長くなり、輻輳する可能性があり得る、および（２）レイテンシが送信の各期間の間に導入され得る。そのような望ましくない影響は、ユーザ経験に悪影響を与え得る。例えば、そのような望ましくない影響は、オーディオデータのような、レイテンシセンシティブデータ（latency-sensitive data）の送信および結果として生じる受信においてギャップを導入し得る。従って、通信システムは、そのような制限を打開し、ユーザ経験の質を高める強化（enhancements）から恩恵を受け得る。
【発明の概要】
【０００５】
[0005]  以下は、そのような態様の基本的な理解を提供するために、本開示の１つ以上の態様の簡略化された概要を提示する。この概要は、本開示の全ての企図される特徴の広範な概観ではなく、本開示の全ての態様のキーまたは重要な要素を識別するようにも、本開示の任意またはすべ全ての態様の範囲を記述する（delineate）ようにも意図されない。その唯一の目的は、後に提示されるより詳細な説明への前置きとして、簡略化された形式で本開示の１つ以上の態様のいくつかの概念を提示することである。
【０００６】
[0006]  ある態様において、本開示は、装置によるワイヤレス通信の方法を提供する。方法は、装置で媒体アクセス制御（medium access control）（ＭＡＣ）レイヤでのデータの量が単一の送信機会（ＴＸＯＰ）において送信可能なデータの最大量（maximum amount）を超えるかどうかを決定することを含み得る。ＭＡＣレイヤでのデータの量が単一のＴＸＯＰにおいて送信可能なデータの最大量を超える場合、方法はまた、サービス期間（ＳＰ）の持続時間を、データを送信するために必要とされる持続時間以上であるように設定し、ＳＰの設定された持続時間の間にデータを送信することを含み得る。
【０００７】
[0007]  別の態様において、本開示は、ワイヤレス通信のための装置を提供する。装置は、メモリと、トランシーバと、メモリおよびトランシーバに通信可能に結合される少なくとも１つのプロセッサとを含み得る。少なくとも１つのプロセッサは、装置でＭＡＣレイヤでのデータの量が単一のＴＸＯＰにおいて送信可能なデータの最大量を超えるかどうかを決定するように構成され得る。ＭＡＣレイヤでのデータの量が単一のＴＸＯＰにおいて送信可能なデータの最大量を超える場合、少なくとも１つのプロセッサはまた、ＳＰの持続時間を、データを送信するために必要とされる持続時間以上であるように設定し、ＳＰの設定された持続時間の間にデータを送信するためにトランシーバを利用するように構成され得る。
【０００８】
[0008]  さらに別の態様において、本開示は、コンピュータ実行可能なコードを含む、コンピュータ読み取り可能な媒体を提供する。コンピュータ実行可能なコードは、装置でＭＡＣレイヤでのデータの量が単一のＴＸＯＰにおいて送信可能なデータの最大量を超えるかどうかを決定するために構成され得る。ＭＡＣレイヤでのデータの量が単一のＴＸＯＰにおいて送信可能なデータの最大量を超える場合、コンピュータ実行可能なコードはまた、ＳＰの持続時間を、データを送信するために必要とされる持続時間以上であるように設定し、ＳＰの設定された持続時間の間にデータを送信するために構成され得る。
【０００９】
[0009]  さらなる態様において、本開示は、ワイヤレス通信のための装置を提供する。装置は、装置でＭＡＣレイヤでのデータの量が単一のＴＸＯＰにおいて送信可能なデータの最大量を超えるかどうかを決定するための手段を含み得る。装置はまた、ＭＡＣレイヤでのデータの量が単一のＴＸＯＰにおいて送信可能なデータの最大量を超える場合、ＳＰの持続時間を、データを送信するために必要とされる持続時間以上であるように設定し、ＳＰの設定された持続時間の間にデータを送信するための手段を含み得る。
【００１０】
[0010]  本開示のこれらの態様および他の態様は、次に続く詳細な説明のレビューを受けて、より十分に理解されるであろう。本開示の他の態様、特徴、および実施形態は、添付図面と併せて、本開示の具体的な、例証的な実施形態の以下の説明を検討すれば、当業者に明らかになるであろう。本開示の特徴は、以下で、ある特定の実施形態および図面に関連して説明され得るが、本発明の全ての実施形態は、本明細書に説明される有利な特徴のうちの１つ以上を含むことができる。言い換えれば、１つ以上の実施形態は、ある特定の有利な特徴を有するように説明され得るが、そのような特徴のうちの１つ以上はまた、本明細書に説明される開示の様々な実施形態に従って使用され得る。同様に、例証的な実施形態は、デバイス、システム、または方法の実施形態として以下に説明され得るが、そのような例証的な実施形態は、様々なデバイス、システム、および方法でインプリメントされることができることが理解されるべきである。
【図面の簡単な説明】
【００１１】
【図１】[0011]  図１は、本開示の様々な態様に従う処理システムを含む装置の例示的なハードウェアインプリメンテーション（hardware implementation）を例示する図である。
【図２Ａ】[0012]  図２Ａは、通信ネットワークにおける様々な装置のトポロジの例を例示する図である。
【図２Ｂ】[0012]  図２Ｂは、通信ネットワークにおける様々な装置のトポロジの例を例示する図である。
【図３Ａ】[0013]  図３Ａは、通信ネットワークにおける様々な装置のトポロジの別の例を例示する図である。
【図３Ｂ】[0013]  図３Ｂは、通信ネットワークにおける様々な装置のトポロジの別の例を例示する図である。
【図４】[0014]  図４は、通信システムの様々なプロトコルレイヤの例を例示する図である。
【図５】[0015]  図５は、従来の装置による通信の例を例示する。
【図６】[0016]  図６は、本開示の様々な態様に従って構成される装置による通信の例を例示する。
【図７】[0017]  図７は、従来の装置による通信と、本開示の様々な態様に従って構成される装置による通信との間の比較を例示する。
【図８】[0018]  図８は、本開示の様々な態様に従って構成される装置によって行われる様々な方法および／または処理を例示する図である。
【詳細な説明】
【００１２】
[0019]  添付の図面に関連して以下に説明される詳細な説明は、様々な構成の説明として意図されるものであり、本明細書に説明される概念が実現され得る唯一の構成を表すように意図されるものではない。詳細な説明は、様々な概念の完全な理解を提供する目的のために特定の詳細を含む。しかしながら、これらの概念がこれらの特定の詳細なしに実現され得ることは、当業者にとって明らかであろう。いくつかの事例において、そのような概念を曖昧にすることを避けるために、周知の構造およびコンポーネントは、ブロック図形式で示されている。
【００１３】
[0020]  図１は、処理システム１０１を含む装置１００のためのハードウェアインプリメンテーションの例を例示する概念図である。限定ではなく例として、装置１００は、本明細書に説明される装置、デバイス、および／またはホストのうちの任意の１つ以上であり得る。限定ではなく例として、装置１００は、セルラ電話、スマートフォン、ユーザ機器、タブレットコンピュータ、ラップトップコンピュータ、携帯情報端末（ＰＤＡ）、ゲーミングデバイス、電子リーダ（e-reader）、局（ＳＴＡ）、モデム、アクセスポイント（ＡＰ）、ルーター、ネットワーキングデバイス、および／または別の装置と通信するように構成される任意の他の装置であり得る。
【００１４】
[0021]  処理システム１０１は、本開示、要素、要素の任意の一部、および／または要素の任意の組み合わせの様々な態様をインプリメントし得る。いくつかの構成において、処理システム１０１は、ユーザインタフェース１１２を含み得る。ユーザインタフェース１１２は、処理システム１０１のユーザから１つ以上の入力を受信するように構成され得る。ユーザインタフェース１１２はまた、処理システム１０１のユーザに情報（例えば、テキストおよび／または画像）を表示するように構成され得る。ユーザインタフェース１１２は、バスインタフェース１０８を介して処理システム１０１への、および／または処理システム１０１からのデータを交換し得る。
【００１５】
[0022]  処理システム１０１はまた、トランシーバ１１０を含み得る。トランシーバ１１０は、別の装置と通信してデータを受信するおよび／またはデータを送信するように構成され得る。トランシーバ１１０は、ワイヤードおよび／またはワイヤレス送信媒体を介して別の装置と通信するための手段を提供する。いくつかの構成において、トランシーバ１１０は、別の装置からデータを受信するための手段および／または別の装置にデータを送信するための手段を提供する。トランシーバ１１０は、様々なタイプの技術を使用してそのような通信を行うように構成され得る。当業者は、そのような通信を行うための多くのタイプの技術が本開示の範囲から逸脱することなしに使用され得ることを理解するであろう。
【００１６】
[0023]  処理システム１０１はまた、メモリ１１４、１つ以上のプロセッサ１０４、コンピュータ読み取り可能な媒体１０６、およびバスインタフェース１０８を含み得る。バスインタフェース１０８は、バス１０３とトランシーバ１１０との間のインタフェースを提供し得る。メモリ１１４、１つ以上のプロセッサ１０４、コンピュータ読み取り可能な媒体１０６、およびバスインタフェース１０８は、バス１０３を介して共に接続され得る。プロセッサ１０４は、トランシーバ１１０および／またはメモリ１１４に通信可能に結合され得る。
【００１７】
[0024]  プロセッサ１０４は、データ決定回路１２０を含み得る。データ決定回路１２０は、特定のプロトコルレイヤ（例えば、媒体アクセス制御（ＭＡＣ）レイヤ）でのデータの量を決定することと関連付けられる様々な態様を可能にするおよび／または様々な機能を行うことができる様々なハードウェアコンポーネントおよび／またはソフトウェアモジュールを含み得る。いくつかの構成において、データ決定回路１２０は、ＭＡＣレイヤでのデータの量が単一の送信機会（ＴＸＯＰ）において送信可能なデータの最大量を超えるかどうかを決定するための手段を提供する。
【００１８】
[0025]  プロセッサ１０４はまた、パラメータ設定回路１２１を含み得る。パラメータ設定回路１２１は、サービス期間（ＳＰ）の持続時間を設定することおよび／またはサービス期間間隔（ＳＰＩ）の持続時間を設定することと関連付けられる様々な態様を可能にするおよび／または様々な機能を行うことができる様々なハードウェアコンポーネントおよび／またはソフトウェアモジュールを含み得る。いくつかの状況において、ＭＡＣレイヤでのデータの量は、単一のＴＸＯＰにおいて送信可能なデータの最大量を超える。そのような状況において、パラメータ設定回路１２１は、ＳＰの持続時間を、データを送信するために必要とされる持続時間以上であるように設定するための手段を提供する。
【００１９】
[0026]  プロセッサ１０４はまた、データ送信回路１２２を含み得る。データ送信回路１２２は、別の装置にデータを送信することと関連付けられる様々な態様を可能にするおよび／または様々な機能を行うことができる様々なハードウェアコンポーネントおよび／またはソフトウェアモジュールを含み得る。上記に説明されたように、いくつかの状況において、ＭＡＣレイヤでのデータの量は、単一のＴＸＯＰにおいて送信可能なデータの最大量を超え、ＳＰの持続時間は、データを送信するために必要とされる持続時間以上であるように設定される。そのような状況において、データ送信回路１２２は、ＳＰの設定された持続時間の間にデータを送信するための手段を提供する。しかしながら、いくつかの他の状況において、ＭＡＣレイヤでのデータの量は、単一のＴＸＯＰにおいて送信可能なデータの最大量を超えない。そのような状況において、データ送信回路１２２は、ＳＰを使用することなしにデータを送信するための手段を提供する。すなわち、そのような状況において、データ送信回路１２２は、単一のＴＸＯＰを使用してデータを送信するための手段を提供する。
【００２０】
[0027]  前述の説明は、処理システム１０１のプロセッサ１０４の限定されない例を提供する。様々な回路が上記に説明されてきたが、当業者は、プロセッサ１０４がまた、回路１２０、１２１、１２２に加わるものである、および／または回路１２０、１２１、１２２に（１つまたは複数の）代わるものである様々な他の回路１２３を含み得ることを理解するであろう。そのような他の回路１２３は、本明細書に説明される機能、方法、処理、特徴、および／または態様のうちの任意の１つ以上を行うための手段を提供し得る。
【００２１】
[0028]  コンピュータ読み取り可能な媒体１０６は、様々な命令を含み得る。命令は、本明細書に説明される様々な態様を可能にするおよび／または様々な機能を行うように構成されるコンピュータ実行可能なコードを含み得る。コンピュータ実行可能なコードは、処理システム１０１の様々なハードウェアコンポーネント（例えば、プロセッサ１０４）によって実行され得る。命令は、様々なソフトウェアプログラムおよび／またはソフトウェアモジュールの一部であり得る。
【００２２】
[0029]  コンピュータ読み取り可能な媒体１０６は、データ決定命令１４０を含み得る。データ決定命令１４０は、特定のプロトコルレイヤ（例えば、ＭＡＣレイヤ）でのデータの量を決定することと関連付けられる様々な態様を可能にするおよび／または様々な機能を行うために構成されるコンピュータ実行可能なコードを含み得る。いくつかの構成において、データ決定命令１４０は、ＭＡＣレイヤでのデータの量が単一のＴＸＯＰにおいて送信可能なデータの最大量を超えるかどうかを決定するために構成されるコンピュータ実行可能なコードを含み得る。
【００２３】
[0030]  コンピュータ読み取り可能な媒体１０６はまた、パラメータ設定命令１４１を含み得る。パラメータ設定命令１４１は、ＳＰの持続時間を設定することおよび／またはＳＰＩの持続時間を設定することと関連付けられる様々な態様を可能にするおよび／または様々な機能を行うために構成されるコンピュータ実行可能なコードを含み得る。いくつかの状況において、ＭＡＣレイヤでのデータの量は、単一のＴＸＯＰにおいて送信可能なデータの最大量を超える。そのような状況において、パラメータ設定命令１４１は、ＳＰの持続時間を、データを送信するために必要とされる持続時間以上であるように設定するために構成されるコンピュータ実行可能なコードを含み得る。
【００２４】
[0031]  コンピュータ読み取り可能な媒体１０６はまた、データ送信命令１４２を含み得る。データ送信命令１４２は、別の装置にデータを送信することと関連付けられる様々な態様を可能にするおよび／または様々な機能を行うために構成されるコンピュータ実行可能なコードを含み得る。上記に説明されたように、いくつかの状況において、ＭＡＣレイヤでのデータの量は、単一のＴＸＯＰにおいて送信可能なデータの最大量を超え、ＳＰの持続時間は、データを送信するために必要とされる持続時間以上であるように設定される。そのような状況において、データ送信命令１４２は、ＳＰの設定された持続時間の間にデータを送信するために構成されるコンピュータ実行可能なコードを含み得る。しかしながら、いくつかの他の状況において、ＭＡＣレイヤでのデータの量は、単一のＴＸＯＰにおいて送信可能なデータの最大量を超えない。そのような状況において、データ送信命令１４２は、ＳＰを使用することなしにデータを送信するために構成されるコンピュータ実行可能なコードを含み得る。すなわち、そのような状況において、データ送信命令１４２は、単一のＴＸＯＰを使用してデータを送信するために構成されるコンピュータ実行可能なコードを含み得る。
【００２５】
[0032]  前述の説明は、処理システム１０１のコンピュータ読み取り可能な媒体１０６の限定されない例を提供する。様々な命令（例えば、コンピュータ実行可能なコード）が上記に説明されてきたが、当業者は、コンピュータ読み取り可能な媒体１０６がまた、命令１４０、１４１、１４２に加わるものである、および／または、命令１４０、１４１、１４２に（１つまたは複数の）代わるものである様々な他の命令１４３を含み得ることを理解するであろう。そのような他の命令１４３は、本明細書に説明される機能、方法、処理、特徴、および／または態様のうちの任意の１つ以上を行うために構成されるコンピュータ実行可能なコードを含み得る。
【００２６】
[0033]  メモリ１１４は、様々なメモリモジュールを含み得る。メモリモジュールは、プロセッサ１０４、またはその回路１２０、１２１、１２２、１２３のうちのいずれかによって様々な値および／または情報を記憶し、そこから様々な値および／または情報を読み取るように構成され得る。メモリモジュールはまた、コンピュータ読み取り可能な媒体１０６に含まれるコンピュータ実行可能なコード、またはその命令１４０、１４１、１４２、１４３のうちのいずれかの実行の際、様々な値および／または情報を記憶し、そこから様々な値および／または情報を読み取るように構成され得る。メモリ１１４は、パラメータ設定１３０を含み得る。例えば、パラメータ設定１３０は、本開示の様々な態様に従ってＳＰの持続時間および／またはＳＰＩの持続時間に関連するデータを含み得る。当業者はまた、メモリ１１４がまた、様々な他のメモリモジュール１３１を含み得ることを理解するであろう。他のメモリモジュール１３１は、本明細書に説明される特徴、機能、方法、処理、および／または態様のうちのいずれかに関して、そこに情報を記憶し、そこから情報を読み取るために構成され得る。
【００２７】
[0034]  当業者はまた、処理システム１０１が本開示の範囲から逸脱することなしに代替のおよび／または追加の要素を含み得ることを理解するであろう。本開示の様々な態様に従って、要素、または要素の任意の一部、または要素の任意の組み合わせは、１つ以上のプロセッサ１０４を含む、処理システム１０１を用いてインプリメントされ得る。１つ以上のプロセッサ１０４の例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能を行うように構成される他の適切なハードウェアを含む。処理システム１０１は、概してバス１０３およびバスインタフェース１０８によって表される、バスアーキテクチャを用いてインプリメントされ得る。バス１０３は、全体的な設計制約および処理システム１０１の特定のアプリケーションに依存して任意の数の相互接続バスおよびブリッジを含み得る。バス１０３は、１つ以上のプロセッサ１０４、メモリ１１４、およびコンピュータ読み取り可能な媒体１０６を含む様々な回路をともにリンクし得る。バス１０３はまた、当該技術分野において周知である、タイミングソース、周辺機器、電圧レギュレータ、および電力管理回路のような様々な他の回路をリンクし得る。
【００２８】
[0035]  １つ以上のプロセッサ１０４は、コンピュータ読み取り可能な媒体１０６に記憶されたソフトウェアの実行を含む、一般的な処理およびバス１０３を管理することを担い得る。ソフトウェアは、１つ以上のプロセッサ１０４によって実行されるとき、処理システム１０１に、任意の１つ以上の装置のために以下に説明される様々な機能を行わせる。コンピュータ読み取り可能な媒体１０６はまた、ソフトウェアを実行するとき、１つ以上のプロセッサ１０４によって操作されるデータを記憶するために使用され得る。ソフトウェアは、ソフトウェア、ファームウェア、ミドルウェア、マイクロコード、ハードウェア記述言語、または別の名称で称されるかどうかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるべきである。ソフトウェアは、コンピュータ読み取り可能な媒体１０６に存在し得る。コンピュータ読み取り可能な媒体１０６は、非一時的なコンピュータ読み取り可能な媒体であり得る。非一時的なコンピュータ読み取り可能な媒体は、例として、磁気記憶デバイス（例えば、ハードディスク、フロッピー（登録商標）ディスク、磁気ストリップ）、光学ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、およびコンピュータによってアクセスおよび読み取り可能なソフトウェアおよび／または命令を記憶するための任意の他の適切な媒体を含む。コンピュータ読み取り可能な媒体１０６はまた、例として、コンピュータによってアクセスおよび読み取り可能なソフトウェアおよび／または命令を伝送するための、搬送波、伝送回線、および任意の他の適切な媒体を含み得る。コンピュータ読み取り可能な媒体１０６は、処理システム１０１の内部、処理システム１０１の外部に存在し、または、処理システム１０１を含む複数のエンティティにわたって分散され得る。コンピュータ読み取り可能な媒体１０６は、コンピュータプログラム製品において具体化され得る。限定ではなく例として、コンピュータプログラム製品は、パッケージング材料内のコンピュータ読み取り可能な媒体を含み得る。当業者は、システム全体に課される全体の設計制約および特定のアプリケーションに依存して、本開示全体にわたって提示される説明される機能をどのようにインプリメントするのが最善かを認識するだろう。
【００２９】
[0036]  図２Ａ−２Ｂは、通信ネットワークにおける様々な装置のトポロジの例を例示する図である。装置は、ホスト２０２（例えば、ラップトップコンピュータ）、ハブ２０６（例えば、ルーター）、ならびにデバイスＤ１  ２０４（例えば、表示デバイス）、デバイスＤ２  ２０８（例えば、プリンタデバイス）、およびデバイスＤ３  ２１０（例えば、記憶デバイス）のような、様々なデバイスを含む。当業者は、通信ネットワークが本開示の範囲から逸脱することなしに図２Ａ−２Ｂに例示された装置に関連してより少ない、または追加の装置を含み得ることを理解するであろう。通信ネットワークは、図２Ｂに例示されているような、階層１、階層２、および階層３のような、様々な階層を含み得る。
【００３０】
[0037]  階層１は、ホスト２０２を含み得る。ホスト２０２は、様々なバーチャルルートハブポート２１２、２１４、２１６を提供する、ルートハブを含み得る。ホスト２０２は、バーチャルルートハブポート２１２、２１４、２１６を介して階層２における１つ以上のデバイスとワイヤレスに通信し得る。例えば、バーチャルルートハブ２１２は、階層２におけるデバイスＤ１  ２０４（例えば、表示デバイス）とワイヤレスに通信し得、バーチャルルートハブ２１４、２１６は、階層２におけるハブ２０６（例えば、ルーター）とワイヤレスに通信し得る。
【００３１】
[0038]  ハブ２０６（例えば、ルーター）は、ダウンストリームデバイスとの通信を可能にし得る。例えば、階層２におけるハブ２０６（例えば、ルーター）は、階層３におけるデバイスと通信し得る。ハブ２０６（例えば、ルーター）は、デバイスＤ２  ２０８（例えば、プリンタデバイス）およびデバイスＤ３  ２１０（例えば、記憶デバイス）と通信し得る。階層３におけるデバイスによって受信されるいくつかの通信は、階層１におけるホストから生じ得る。例えば、デバイスＤ２  ２０８（例えば、プリンタデバイス）によって受信される通信は、ホスト２０２から生じ得、デバイスＤ３  ２１０（例えば、記憶デバイス）によって受信される通信もまた、ホスト２０２から生じ得る。
【００３２】
[0039]  当業者は、図２Ａ−２Ｂに例示的されている例が例示的な目的のために提供され、本開示の範囲を限定するようには意図されないことを理解するであろう。通信ネットワークは、本開示の範囲から逸脱することなしに代替の構成を有し得る。本開示の範囲内の別の通信ネットワークの例は、図３Ａ−３Ｂに提供される。
【００３３】
[0040]  図３Ａ−３Ｂは、通信ネットワークにおける様々な装置のトポロジの別の例を例示する図である。通信ネットワークは、様々なサービスセットを含み得る。例えば、通信ネットワークは、第１のサービスセット（ＳＳ−１）３０８および第２のサービスセット（ＳＳ−２）３１０を含み得る。合わせて、サービスセットは、基本サービスセット（ＢＳＳ）を形成し得る。いくつかの構成において、ＢＳＳにおける通信は、時には米国電気電子学会（ＩＥＥＥ）８０２.１１と称される通信規格のプロトコルに従って行われ得る。当業者は、通信が本開示の範囲から逸脱することなしに、追加としておよび／または代替として、他の通信規格のプロトコルに従って行われ得ることを理解するであろう。従って、ＩＥＥＥ８０２.１１への本明細書における任意の参照は、例示的な目的のために提供され、本開示の限定として解釈されるべきでない。
【００３４】
[0041]  いくつかの構成において、単一の装置は、ホストならびにデバイスの動作を行い得る。図３Ａにおいて、そのような装置の限定されない例は、タブレットコンピュータ３０４として例示される。タブレットコンピュータ３０４は、ＳＳ−１  ３０８においてラップトップコンピュータ３０２と通信し得、ＳＳ−２  ３１０において表示デバイス３０６とも通信し得る。タブレットコンピュータ３０４は、ＳＳ−１  ３０８においてラップトップコンピュータ３０２に関して（例えば、デバイスＤ１  ２０４、デバイスＤ２  ２０８、デバイスＤ３  ２１０と類似する）デバイスとして動作し得る。タブレットコンピュータ３０４はまた、ＳＳ−２  ３１０において表示デバイス３０６に関して（例えば、ホスト２０２と類似する）ホストとして動作し得る。
【００３５】
[0042]  より具体的には、図３Ｂは、図３Ａに例示されているタブレットコンピュータ３０４のＭＡＣレイヤ３１４とプロトコルアダプテーションレイヤ（protocol adaptation layer）（ＰＡＬ）３１２との間の通信を例示する。図３Ｂに例示されているように、ＰＡＬ３１２は、ＳＳ−１  ３０８において動作するデバイスＰＡＬならびにＳＳ−２  ３１０において動作するホストＰＡＬを含み得る。第１のデータパケット（Ｐ１）は、ＭＡＣレイヤ３１４からＳＳ−１  ３０８において動作するデバイスＰＡＬに送信され得る。例えば、ＳＳ−１  ３０８におけるラップトップコンピュータ３０２は、Ｐ１をタブレットコンピュータ３０４に送信し得る。第２のデータパケット（Ｐ２）は、ＭＡＣレイヤ３１４からＳＳ−２  ３１０において動作するホストＰＡＬに送信され得る。例えば、表示デバイス３０６は、Ｐ２をタブレットコンピュータ３０４に送信し得る。第３のデータパケット（Ｐ３）は、ＳＳ−１  ３０８において動作するデバイスＰＡＬからＭＡＣレイヤ３１４に送信され得る。例えば、タブレットコンピュータ３０４は、Ｐ３をラップトップコンピュータ３０２に送信し得る。第４のデータパケット（Ｐ４）は、ＳＳ−２  ３１０において動作するホストＰＡＬからＭＡＣレイヤ３１４に送信され得る。例えば、タブレットコンピュータ３０４は、Ｐ４を表示デバイス３０６に送信し得る。図３Ａ−３Ｂは、デバイスならびにホストとして動作する単一の装置（例えば、タブレットコンピュータ３０４）の限定されない例を例示する。しかしながら、そのような構成は、例示的な目的のために提供され、本開示の範囲を限定しないものとする。
【００３６】
[0043]  図４は、通信システムの様々なプロトコルレイヤの例を例示する図４００である。図４に例示されているプロトコルレイヤは、図２Ａ−２Ｂおよび図３Ａ−３Ｂに関して上記に説明されているホストおよび／またはデバイスによって利用され得る。しかしながら、図４に例示されている様々なプロトコルレイヤは、本開示の限定として解釈されるべきでない。当業者は、より少ない、追加の、および／または代替のプロトコルレイヤが本開示の範囲から逸脱することなしにインプリメントされ得ることを理解するであろう。例えば、図４に例示されていない様々なプロトコルレイヤは、本開示の範囲から逸脱することなしに図４に例示されているレイヤのいずれの間にも存在し得る。当業者はまた、そのようなプロトコルレイヤが、本開示の範囲から逸脱することなしに、たとえ図４に例示されていなくても、様々な構成において利用され得ることを理解するであろう。
【００３７】
[0044]  いくつかの構成において、データトラフィックは、上位レイヤ（例えば、アプリケーションレイヤ４０２）からＰＡＬ４０４のような、中間レイヤに流れ得る。ＰＡＬ４０４の例は、媒体非依存（media agnostic）（ＭＡ）ユニバーサルシリアルバス（ＵＳＢ）ＰＡＬである。ＭＡ  ＵＳＢ  ＰＡＬは、ＩＥＥＥ８０２.１１および／またはインターネットプロトコル（ＩＰ）リンクのような、ワイヤレス媒体にわたって、ＵＳＢホストと、ＵＳＢハブを含む１つ以上のＵＳＢデバイスとの間の接続性を可能にし得る。ＰＡＬ４０４はまた、本開示の範囲から逸脱することなしに、本明細書に説明されていない他の特徴を含み得、および／または他の機能を行い得る。データトラフィックは、ＰＡＬ４０４から、トランスポートおよびネットワークレイヤ４０６のような、別のレイヤへ流れ得る。
【００３８】
[0045]  トランスポートおよびネットワークレイヤ４０６は、ＩＰリンクを介して１つ以上のデバイスへのデータトラフィックの流れを容易にし得る。例えば、ホストおよびデバイスは、ＩＰネットワークによって分けられ得る。ホストおよびデバイスは、伝送制御プロトコル（ＴＣＰ）のダイレクトクライアント（direct client）であり得る。データトラフィックは、ＩＰデータグラムにパッケージ化され、ＴＣＰ接続を通して配信され得る。しかしながら、トランスポートおよびネットワークレイヤ４０６は、データトラフィックがＩＰリンクを介してホストからデバイスに送信されていないときのように、本開示の全ての構成において存在するとは限らない可能性がある。トランスポートおよびネットワークレイヤ４０６はまた、本開示の範囲から逸脱することなしに、本明細書に説明されていない他の特徴を含み得、および／または他の機能を行い得る。
【００３９】
[0046]  データトラフィックは、論理リンク制御（ＬＬＣ）レイヤ４０８に流れ得る。ＬＬＣレイヤ４０８は、データリンクレイヤの上位サブレイヤであり得る。ＬＬＣレイヤ４０８は、様々なネットワークプロトコルがマルチポイントネットワーク内に共存すること、および同じネットワーク媒体にわたってトランスポートされることを可能にするために多重化メカニズム（multiplexing mechanisms）を提供し得る。ＬＬＣレイヤ４０８はまた、データフローを制御し得、ならびにエラー管理を提供し得る。ＬＬＣレイヤ４０８はまた、本開示の範囲から逸脱することなしに、本明細書に説明されていない他の特徴を含み得、および／または他の機能を行い得る。ＬＬＣレイヤ４０８は、ネットワークレイヤ（例えば、トランスポートおよびネットワークレイヤ４０６）とＭＡＣレイヤ（例えば、ＭＡＣレイヤ４１０）との間でインタフェースする。
【００４０】
[0047]  データトラフィックは、ＬＬＣレイヤ４０８からＭＡＣレイヤ４１０に流れ得る。ＭＡＣレイヤ４１０は、データリンクレイヤの下位サブレイヤであり得る。ＭＡＣレイヤ４１０は、様々な端末またはネットワークノードが共有された媒体（例えば、ＩＥＥＥ８０２.１１に従うワイヤレス媒体）を有する多元接続ネットワーク内で通信することを可能にするアドレス指定およびチャネルアクセス制御メカニズム（addressing and channel access control mechanisms）を提供し得る。ＭＡＣレイヤ４１０は、マルチポイントネットワークにおいて全二重論理通信チャネルをエミュレートし得、そのようなチャネルは、（１つまたは複数の）ユニキャスト、マルチキャスト、および／またはブロードキャスト通信サービスを提供し得る。ＭＡＣレイヤ４１０はまた、本開示の範囲から逸脱することなしに、本明細書に説明されていない他の特徴を含み得、および／または他の機能を行い得る。ＭＡＣレイヤ４１０は、ＬＬＣレイヤ（例えば、ＬＬＣレイヤ４０８）とネットワーク物理（ＰＨＹ）レイヤ（例えば、ＰＨＹレイヤ４１２）との間でインタフェースし得る。
【００４１】
[0048]  ＰＨＹレイヤ４１２は、ネットワークハードウェア送信技術を含み得る。ＰＨＹレイヤ４１２は、データトラフィックを送信するための手段を提供し得る。ＰＨＹレイヤ４１２は、電気的、機械的、および／または手続き的インタフェース（procedural interface）を送信媒体に提供し得る。ＰＨＹレイヤ４１２は、データトラフィックが送信される周波数、データトラフィックの変調方式、およびデータトラフィックの他の関連する特質のような、データトラフィックの様々な特質を特定し得る。ＰＨＹレイヤ４１２はまた、本開示の範囲から逸脱することなしに、本明細書に説明されていない他の特徴を含み得、および／または他の機能を行い得る。ＰＨＹレイヤ４１２は、ワイヤレス媒体４１４を介してデータトラフィックをデバイスに送信し得る。ワイヤレス媒体４１４は、ＩＥＥＥ  ８０２.１１に従い得る。ワイヤレス媒体４１４はまた、様々な他の技術に従い得る。ワイヤレス媒体４１４は、ホストのＰＨＹレイヤ４１２ならびにデバイスのＰＨＹレイヤ４２６との間でインタフェースし得る。
【００４２】
[0049]  デバイスに関して、データトラフィックは、アプリケーションレイヤ４１６からＰＡＬ４１８に流れ得る。データトラフィックはまた、トランスポートおよびネットワークレイヤ４２０に流れ、やがてＬＬＣレイヤ４２２に流れ得る。データトラフィックはまた、ＭＡＣレイヤ４２４に流れ、やがてＰＨＹレイヤ４２６に流れ得る。デバイスにおけるそのようなレイヤの様々な特徴および／または機能の説明は、ホストに関して上記に提供され、それゆえに、繰り返されない。
【００４３】
[0050]  図５は、従来の装置による通信の例を例示する。より具体的には、図５は、データが様々なＴＸＯＰの間にホストとデバイスとの間で送信される図５００を例示する。ホストに関しては、データは、より高いレイヤ（例えば、ＬＬＣ４０８、ＰＡＬ４０４、等）からＭＡＣレイヤ４１０に配信される。そのようなデータは、様々なデータフレームを含み得る。例えば、データは、データフレームＮ１  ５０２、Ｎ２  ５０４、Ｎ３  ５０６、Ｎ４  ５０８を含み得る。データフレームＮ１  ５０２、Ｎ２  ５０４、Ｎ３  ５０６、Ｎ４  ５０８は、それぞれの長さＬ１  ５１２、Ｌ２  ５１４、Ｌ３  ５１６、Ｌ４  ５１８を有し得る。各データフレームの長さは、そのそれぞれのデータサイズに対応する。データフレームは、本開示の範囲から逸脱することなしに、様々なタイプのデータを含み得る。例えば、データフレームは、ヘッダ、プリアンブル、および／またはペイロードを含み得る。いくつかの構成において、データフレームのうちのいくつかは、データパケット全体の一部であり得る。いくつかの構成において、データフレームのうちのいくつかは各々、個別のデータパケットであり得る。
【００４４】
[0051]  図５に例示されている例は、４つのデータフレームＮ１  ５０２、Ｎ２  ５０４、Ｎ３  ５０６、Ｎ４  ５０８を示すが、当業者は、データが、本開示の範囲から逸脱することなしに任意の数のデータフレームを有し得ることを理解するであろう。また、図５に例示されている例は、データフレームＮ１  ５０２、Ｎ２  ５０４、Ｎ３  ５０６、Ｎ４  ５０８の各々がおよそ同じ長さＬ１  ５１２、Ｌ２  ５１４、Ｌ３  ５１６、Ｌ４  ５１８を有することを示すが、当業者は、データフレームＮ１  ５０２、Ｎ２  ５０４、Ｎ３  ５０６、Ｎ４  ５０８のうちの任意の１つ以上が、本開示の範囲から逸脱することなしに別のデータフレームに関連して同じ、または異なる長さを有し得ることを理解するであろう。
【００４５】
[0052]  データフレームＮ１  ５０２、Ｎ２  ５０４、Ｎ３  ５０６、Ｎ４  ５０８は、上位レイヤからＭＡＣレイヤ４１０に配信され得る。そのような上位レイヤは、図４に示されているレイヤのうちの任意の１つ以上であり得る。限定されない例として、データフレームＮ１  ５０２、Ｎ２  ５０４、Ｎ３  ５０６、Ｎ４  ５０８は、ＰＡＬ４０４からＭＡＣレイヤ４１０に配信され得る。本明細書に提供される本開示の様々な態様は、ＭＡＣレイヤ４１０を使用するインプリメンテーションに関して説明され得るが、当業者は、そのような態様が、本開示の範囲から逸脱することなしに（１つまたは複数の）任意の他のレイヤを使用してインプリメントされ得ることを理解するであろう。
【００４６】
[0053]  データフレームＮ１  ５０２、Ｎ２  ５０４、Ｎ３  ５０６、Ｎ４  ５０８がＭＡＣレイヤ４１０に配信された後、従来の装置は、データフレームＮ１  ５０２、Ｎ２  ５０４、Ｎ３  ５０６、Ｎ４  ５０８のうちのどれが様々なＴＸＯＰにおいて送信されることができるかを決定し得る。本明細書に説明されたように、ＴＸＯＰは、ＩＥＥＥ８０２．１１ｅに説明されているＴＸＯＰの任意の１つ以上の態様を含み得る。一般的には、ＴＸＯＰは、局がデータフレームを転送する境界のある（bounded）（例えば、固定の（fixed））時間期間である。ＴＸＯＰの間、装置は、そのような送信のために必要とされる持続時間がＴＸＯＰの最大の持続時間を超えない限り、できるだけ多くのデータフレームを送信する。データフレームにおけるデータが、あまりに大きすぎて単一のＴＸＯＰにおいて送信されることができない場合、そのようなデータは、単一のＴＸＯＰにおいて送信可能でない。すなわち、装置は、データの量があまりに大きすぎて単一のＴＸＯＰにおいて送信されることができないとき、データの量が、単一のＴＸＯＰにおいて送信可能なデータの最大量を超えることを決定し得る。反対に、装置は、データの量が単一のＴＸＯＰにおいて送信されるのに大きすぎないとき、データの量が、単一のＴＸＯＰにおいて送信可能なデータの量を超えないことを決定し得る。データが単一のＴＸＯＰにおいて送信可能でないとき、データは、より小さい部分に断片化される（fragmented）ことができる。データのこれらのより小さい部分は、個別のＴＸＯＰにおいて各々送信可能であるが、２つ以上のＴＸＯＰが、データの全体の送信のために必要とされることとなる。
【００４７】
[0054]  従来の装置は、チャネルにわたってデータを送信するべきかどうかを決定するためにコンテンションベースのシステムを利用し得る。例えば、装置は、‘スピークする’（例えば、チャネル上で送信する）前に‘静かにする’（例えば、送信することを控える）および‘リスンする’（例えば、チャネル上で信号の存在を検出する）可能性がある。‘静かにする’および‘リスンする’に対応する時間期間は、図５の図５５０において「ＤＣ」として識別される「遅延チャネルアクセス(Delay Channel access)」に関連する。いくつかの構成において、‘静かにする’および‘リスンする’に対応する時間期間は時には、媒体アクセス遅延(medium access delay)（例えば、ＤＣ１およびＤＣ２）と称され得る。
【００４８】
[0055]  ＤＣ１の持続時間５２０の間、装置は、送信することを控え、関心のあるチャネル（channel of interest）上で信号の存在を検出し得る。装置は、装置がそのチャネル上のある特定のしきい値を上回るエネルギーを検出するとき、信号がそのチャネル上に存在することを決定し得る。そのような事例において、装置は、チャネルが使用のために現在利用できないことを決定し得る。それに応答して、装置は、バックオフ手順（back-off procedure）を開始し、しばらく経って、そのチャネル上で信号の別の検出を開始し得る。装置がそのチャネル上に信号を検出しない場合、装置は、ＴＸＯＰ（例えば、ＴＸＯＰ１）を進め得る。
【００４９】
[0056]  データフレームＮ１  ５０２、Ｎ２  ５０４、Ｎ３  ５０６、Ｎ４  ５０８は、様々なＴＸＯＰにおいて配列され得る。各ＴＸＯＰは、特定の持続時間を有し得る。例えば、ＴＸＯＰ１は、持続時間５２２を有し、ＴＸＯＰ２は、持続時間５３２を有する。しかしながら、とりわけ、データフレームＮ１  ５０２、Ｎ２  ５０４、Ｎ３  ５０６、Ｎ４  ５０８の全長は、ＴＸＯＰ１の持続時間５２２を超える。データフレームＮ１  ５０２、Ｎ２  ５０４、Ｎ３  ５０６、Ｎ４  ５０８の全長が、ＴＸＯＰ１の持続時間５２２を超えるため、ＴＸＯＰ１は、データフレームＮ１  ５０２、Ｎ２  ５０４、Ｎ３  ５０６、Ｎ４  ５０８の全てを収容する（accommodate）ことができない。すなわち、ＭＡＣレイヤ４１０でのデータの量（例えば、データフレームＮ１  ５０２、Ｎ２  ５０４、Ｎ３  ５０６、Ｎ４  ５０８の全長）が単一のＴＸＯＰ（例えば、ＴＸＯＰ１）において送信可能なデータの最大量を超える。単一のＴＸＯＰにおいて送信可能なデータの最大量は時には、「Ｐｍａｘ」と称され得る。
【００５０】
[0057]  されども、ＴＸＯＰは、少なくとも１つのデータフレームを収容することができ得る。例えば、図５に例示されているように、ＴＸＯＰ１の持続時間５２２は、データフレームＮ１  ５０２、Ｎ２  ５０４を収容することができる。従って、データフレームＮ１  ５０２、Ｎ２  ５０４は、ＴＸＯＰ１に含まれる。ＴＸＯＰ１に含まれることができない任意のデータフレームは、次のＴＸＯＰに含まれ得る。例えば、図５に例示されているように、データフレームＮ３  ５０４、Ｎ４  ５０８は、ＴＸＯＰ２に含まれ得る。
【００５１】
[0058]  しかしながら、上記に触れたように、従来の装置は、コンテンションベースのシステムに従って動作する。従って、装置は、ＤＣ２の持続時間５３０の間、送信することを控え（例えば、‘待ち（waits）’）、信号の存在を検出する（例えば、‘リスンする’）。そのようなものとして、装置は、ＤＣ２の持続時間５３０の間に残りのデータフレームＮ３  ５０６、Ｎ４  ５０８を送信する（例えば、‘スピークする’）ことが可能でない。装置が、ＤＣ２の持続時間５３０の間に残りのデータフレームＮ３  ５０６、Ｎ４  ５０８を送信することが可能でないため、残りのデータフレームＮ３  ５０６、Ｎ４  ５０８の送信は、ＴＸＯＰ２の持続時間５３２まで遅延する。
【００５２】
[0059]  送信の各期間の間（例えば、ＴＸＯＰ１とＴＸＯＰ２との間）のそのような遅延（例えば、ＤＣ２）は、ユーザ経験に悪影響を与える何らかの望ましくない影響を有することができる。例えば、残りのデータフレームＮ３  ５０６、Ｎ４  ５０８の送信における遅延は、プロトコルスタックの様々なレイヤ（例えば、図４に例示されているレイヤ４０２、４０４、４０６、４０８、４１０、４１２のうちのいずれか）におけるデータの待ち行列（queue）が、より長くなること、および場合によっては輻輳することをもたらし得る。別の例として、残りのデータフレームＮ３  ５０６、Ｎ４  ５０８の送信における遅延は、送信の各期間の間で導入されるレイテンシをもたらし得る。
【００５３】
[0060]  データのいくつかのタイプは、レイテンシセンシティブである。いくつかの構成において、データを送信すること／受信することにおけるある特定の量の遅延が乏しいユーザ経験（poor user experience）をもたらすとき、データは、レイテンシセンシティブと考えられる。レイテンシセンシティブデータの限定されない例は、等時性データ(isochronous data)である。等時性データは、定期的に、または同じ時間間隔で発生するデータを含み得る。等時性転送は、オーディオデータおよびビデオデータのような、リアルタイム情報を送信するために利用され得、そのような送信は、一定のレートで送られ得る。等時性転送は、誤り検出を欠く場合がある。等時性データは、データストリームが所望のレートで配信されることを確実にするために利用可能な帯域幅の専用の部分（dedicated portion）を割り当てられ得る。レイテンシセンシティブデータの別の限定されない例は、割り込みデータ(interrupt data)である。割り込みデータは、デバイスへの、またはデバイスからの限定されたレイテンシを有し得、割り込み転送は、定義されたポーリングレート（defined polling rate）を有し得る。割り込みデータは、ポインティングデバイスからの座標、文字（characters）、および／またはイベント通知を含み得る。当業者は、様々な他のタイプのレイテンシセンシティブデータが存在し、それらが本開示の範囲内であることを理解する。
【００５４】
[0061]  データフレームＮ１  ５０２、Ｎ２  ５０４、Ｎ３  ５０６、Ｎ４  ５０８の全てのための送信（ＴＸ）の持続時間５４０は、図５の図５５０に例示されている。ＴＸの全持続時間５４０は、ＤＣ１の持続時間５２０、ＴＸＯＰ１の持続時間５２２、ＤＣ２の持続時間５３０、およびＴＸＯＰ２の持続時間５３２を含む。
【００５５】
[0062]  図６は、本開示の様々な態様に従って構成される装置による通信の例を例示する。より具体的には、図６は、ＳＰの間に送信されているＭＡＣレイヤでのデータの例を例示する。当業者は、図６に例示されているＭＡＣレイヤが、本開示の範囲から逸脱することなしに、ホストのＭＡＣレイヤ４１０に、および代替としてまたは追加としてデバイスのＭＡＣレイヤ４２４に対応し得ることを理解するであろう。限定ではなく、簡潔さのために、そのような装置（例えば、ホストおよび／またはデバイス）は時には、‘装置１００’と称され得る。しかしながら、当業者は、‘装置１００’が図１、２Ａ、２Ｂ、３Ａ、および／または３Ｂのうちのいずれかに関して上記に説明された装置のうちの任意のものまたはそれより多くのものを指し得ることを理解するであろう。図６００に例示されているいくつかの態様は、図５に関して上記に説明され、それゆえに、繰り返されない。
【００５６】
[0063]  一般的には、ＳＰは、特定の送信のために送信装置および／または受信装置によって専用である（dedicated by）任意の時間期間を指し得る。例えば、送信装置および受信装置は、ＳＰと関連付けられる様々なパラメータ（例えば、ＳＰの開始および終了時間、ＳＰの持続時間、ＳＰの間隔または周期性、等）について合意する（agree upon）ことができる。そのようなパラメータは、ＳＰより前ならいつでも発生するハンドシェイク手順の間に合意され得る。例えば、ハンドシェイク手順の間、送信装置および受信装置は、特定の持続時間の送信のために特定のチャネルを利用可能にしておくことに合意することができる。送信装置および受信装置がそのようなパラメータに合意する場合、送信装置は、その特定のチャネルがそのような送信のために利用可能であると予期する（expect）ことができ、従って、必ずしも図５に関して上記に説明されたコンテンションベースの手順を行う必要はない。言い換えれば、送信装置および受信装置がその特定の送信のために必要とされる持続時間の間その特定のチャネルを利用可能にしておくことをハンドシェイク手順の間に合意したため、送信装置は、必ずしも‘スピークする’（例えば、その特定のチャネル上で送信する）前に‘リスンする’（例えば、その特定のチャネル上の別の信号の存在を検出する）必要はない。
【００５７】
[0064]  既存の通信規格（例えば、ＩＥＥＥ８０２．１１ａｄ）は、静的なＳＰおよび／または動的なＳＰを説明し得る。ＩＥＥＥ８０２．１１ａｄに関しては、パーソナル基本サービスセット（personal basic service set）（ＰＢＳＳ）制御点（control point）（ＰＣＰ）は、各ビーコン間隔（ＢＩ）の始めに指向性マルチギグ（directional multi-gig）（ＤＭＧ）局（ＳＴＡ）をポーリングし得る。ＤＭＧ  ＳＴＡは、サービス期間要求（ＳＰＲ）で応答し得る。続いて、ＰＣＰは、検討中の（under consideration）ＢＩに適用可能である許可で応答し得る。しかしながら、そのような通信規格は、装置が、従来の装置に関して上記に説明された制限（例えば、輻輳した待ち行列および／または送信レイテンシと関連付けられる制限）を低減するために設定されるべき特定のパラメータを説明していない。
【００５８】
[0065]  本開示の様々な態様に従って、装置１００は、ＳＰの持続時間６１０を設定し得る。より高いレイヤ（例えば、ＰＡＬ４０４）でのデータの量および／またはサイズに関連する情報は、新たなプリミティブ（例えば、「ｗＢｙｔｅｓＰｅｒＩｎｔｅｒｖａｌ」と呼ばれるパラメータ）を介してより低いレイヤ（例えば、ＭＡＣレイヤ４１０）に提供され得る。ＳＰの持続時間は、そのデータを送信するために必要とされる持続時間に従って設定され得る。例えば、ＳＰの持続時間は、ＳＰの持続時間がそのデータを送信するために必要とされる持続時間以上であるように設定され得る。図６５０は、そのような設定の例を例示する。例えば、ＳＰの持続時間６１０は、ＳＰの持続時間６１０がデータフレームＮ１  ５０２、Ｎ２  ５０４、Ｎ３  ５０６、Ｎ４  ５０８の全てを送信するために必要とされる持続時間と等しいように設定される。すなわち、ＳＰの持続時間６１０は、Ｎ１  ５０２を送信するために必要とされる持続時間（例えば、Ｌ１  ５１２）、Ｎ２  ５０４を送信するために必要とされる持続時間（例えば、Ｌ２  ５１４）、Ｎ３  ５０６を送信するために必要とされる持続時間（例えば、Ｌ３  ５１６）、およびＮ４  ５０８を送信するために必要とされる持続時間（例えば、Ｌ４  ５１８）の合計に等しい。図５に例示されている例は、ＳＰの持続時間６１０がデータフレームＮ１  ５０２、Ｎ２  ５０４、Ｎ３  ５０６、Ｎ４  ５０８の全てを送信するために必要とされる持続時間と等しいことを示しているが、当業者は、ＳＰの持続時間６１０がまた、本開示の範囲から逸脱することなしにデータフレームＮ１  ５０２、Ｎ２  ５０４、Ｎ３  ５０６、Ｎ４  ５０８の全てを送信するために必要とされる持続時間より大きい可能性があることを理解するであろう。本開示の様々な態様はまた、以下の数式によって説明され得る：ＳＰ≧ｎ＊ｌ、ここにおいて、ＳＰは、ＳＰの持続時間を表し、ｎはデータフレーム（例えば、データフレームＮ１  ５０２、Ｎ２  ５０４、Ｎ３  ５０６、Ｎ４  ５０８）の数を表し、ｌは、そのようなデータフレームの平均長（例えば、持続時間）を表す。
【００５９】
[0066]  本開示の様々な態様に従って、装置１００は、ＳＰＩの持続時間をＳＰの持続時間６１０以上、かつＳＰを使用することなしにデータを送信するための持続時間以下であるように設定し得る。すなわち、装置１００は、ＳＰＩの持続時間をＳＰの持続時間６１０以上、かつ２つの（またはそれより多い）ＴＸＯＰを使用してデータを送信するための持続時間以下であるように設定し得る。一般的には、ＳＰＩは、ＳＰの繰り返しの周期性または間隔を指す。ＳＰは、ＳＰＩの一部の間に発生する。すなわち、各ＳＰＩは、少なくとも１つのＳＰを含み得る。１つのＳＰＩが終了した後、別のＳＰＩが始まり得る。図６５０は、ＳＰＩに関連する２つの限定されない例を例示する。第１の例として、装置１００は、ＳＰＩ１の持続時間６２０をＳＰの持続時間６１０に等しいように設定し得る。すなわち、ＳＰＩ１の持続時間６２０は、データフレームＮ１  ５０２、Ｎ２  ５０４、Ｎ３  ５０６、Ｎ４  ５０８の全てを送信するために必要とされる持続時間と等しい。第２の例として、装置１００は、ＳＰＩ２の持続時間６３０をＳＰの持続時間６１０より大きくなるように設定し得る。すなわち、ＳＰＩ２の持続時間６３０は、データフレームＮ１  ５０２、Ｎ２  ５０４、Ｎ３  ５０６、Ｎ４  ５０８の全てを送信するために必要とされる持続時間より大きい。それにもかかわらず、これらの例の両方において、これらのＳＰＩ（例えば、ＳＰＩ１、ＳＰＩ２）の持続時間６２０、６３０は、ＳＰを使用することなしに（例えば、２つ以上のＴＸＯＰを使用して）データを送信するための持続時間５４０（図５を参照）以下である。すなわち、これらのＳＰＩ（例えば、ＳＰＩ１、ＳＰＩ２）の持続時間６２０、６３０は、ＤＣ１の持続時間５２０、ＴＸＯＰ１の持続時間５２２、ＤＣ２の持続時間５３０、およびＴＸＯＰ２の持続時間５３２の合計（図５を参照）以下である。
【００６０】
[0067]  本開示の様々な態様は、以下の数式によって説明され得る：ＳＰ≦ＳＰＩ≦Ｄｕｒａｔｉｏｎ  ＴＸ、ここにおいて、ＳＰは、ＳＰの持続時間を表し、ＳＰＩは、ＳＰＩの持続時間を表し、およびＤｕｒａｔｉｏｎ  ＴＸは、ＳＰを使用することのない送信のための持続時間（例えば、２つ以上のＴＸＯＰを使用する送信のための持続時間）を表す。いくつかの構成において、Ｄｕｒａｔｉｏｎ  ＴＸは、以下の数式を使用して決定され得る：Ｄｕｒａｔｉｏｎ  ＴＸ＝（ｎ＊ｌ）／Ｒ＋ｍ＊ＤＣ、ここにおいて、ｎは、フレーム（例えば、データフレームＮ１  ５０２、Ｎ２  ５０４、Ｎ３  ５０６、Ｎ４  ５０８）の数を表し、ｌは、そのようなデータフレームの平均長（例えば、持続時間）を表し、Ｒは、ＰＨＹデータレートを表し、ｍは、ＴＸＯＰの数を表し（例えば、図５５０は、２つのＴＸＯＰ−ＴＸＯＰ１およびＴＸＯＰ２−を例示する、よって、ｍ＝２）、およびＤＣは、媒体アクセス遅延の平均持続時間（例えば、ＤＣ１の持続時間５２０およびＤＣ２の持続時間５３０の平均）を表す。いくつかの構成において、ｍは、以下の数式を使用して決定され得る：ｍ＝（ｎ＊ｌ）／Ｐｍａｘ、ここにおいて、Ｐｍａｘは、単一のＴＸＯＰにおいて送信可能なデータの最大量を表す。
【００６１】
[0068]  いくつかの構成において、ＳＰの持続時間および／またはＳＰＩの持続時間は、インジケータに基づいて設定される。そのようなインジケータの限定されない例は、フラグである。そのようなインジケータの別の限定されない例は、本明細書により詳細に説明されるデータフレーム（例えば、データフレームＮ１  ５０２、Ｎ２  ５０４、Ｎ３  ５０６、Ｎ４  ５０８）のヘッダ、サブヘッダ、またはペイロードに含まれる１つ以上のビット値である。当業者は、そのようなインジケータが本開示の範囲から逸脱することなしに様々な形式であり得る、および様々な特性（characteristics）を有し得ることを理解するであろう。
【００６２】
[0069]  インジケータ（例えば、フラグ）は、データのレイテンシ要件を示し得る。あるデータ（例えば、オーディオデータ）は、他のデータ（例えば、非オーディオデータ）に関連してよりレイテンシセンシティブであり得る。インジケータ（例えば、フラグ）は、データのレイテンシ要件が満たされるようにＳＰの持続時間および／またはＳＰＩの持続時間を設定するために使用され得る。いくつかの状況において、データフレームＮ１  ５０２、Ｎ２  ５０４、Ｎ３  ５０６、Ｎ４  ５０８は、比較的高いレイテンシセンシティビティ（latency-sensitivity）を有し得る。データフレームＮ１  ５０２、Ｎ２  ５０４、Ｎ３  ５０６、Ｎ４  ５０８が比較的高いレイテンシセンシティビティを有するため、ＳＰＩの持続時間は、そのようにＳＰＩ１の持続時間６２０に設定され得る。そのような設定は、媒体アクセス遅延（例えば、ＤＣ１、ＤＣ２）を最小限にし、それによって、データフレームＮ１  ５０２、Ｎ２  ５０４、Ｎ３  ５０６、Ｎ４  ５０８がその特定のデータのレイテンシ要件を満たす方法で転送されることとなる見込みを増加する。いくつかの他の状況において、データフレームＮ１  ５０２、Ｎ２  ５０４、Ｎ３  ５０６、Ｎ４  ５０８は、比較的低いレイテンシセンシティビティを有し得る。データフレームＮ１  ５０２、Ｎ２  ５０４、Ｎ３  ５０６、Ｎ４  ５０８が比較的低いレイテンシセンシティビティを有するため、ＳＰＩの持続時間は、そのようにＳＰＩ２の持続時間６３０に設定され得る。そのような設定は、必ずしも可能な限り最低の媒体アクセス遅延（lowest possible medium access delay）（例えば、ＤＣ１、ＤＣ２）を確実にするとは限らないが、データフレームＮ１  ５０２、Ｎ２  ５０４、Ｎ３  ５０６、Ｎ４  ５０８は、それにもかかわらず、その特定のデータのレイテンシ要件を満たす方法で転送されることとなる。
【００６３】
[0070]  図７は、従来の装置による通信と、本開示の様々な態様に従って構成される装置による通信との間の比較を例示する。図７００は、従来の装置の様々な態様に従うデータ送信の例を例示する。（図７００は、図５の図５５０に例示されている様々な態様を例示する。）図７５０は、装置１００の様々な態様に従うデータ送信の例を例示する。（図７００は、図６の図６５０に例示されている様々な態様を例示する。）図７００と図７５０との間の比較は、従来の装置に関連して装置１００の様々な利益（benefits）を明らかにする。
【００６４】
[0071]  時間７０２で、データは、送信のための準備が整っている。従来の装置に関して、図７００に例示されているように、データは、時間７０２で即座に送信されることができない。例えば、データがＴＸＯＰ１の間に送信される前に、ＤＣ１の持続時間５２０が経過する。データ（例えば、データフレームＮ１  ５０２、Ｎ２  ５０４）は、ＴＸＯＰ１の持続時間５２２の間に送信される。データフレームのいくつか（例えば、データフレームＮ３  ５０６、Ｎ４  ５０８）は、ＤＣ２の持続時間５３０の後に始まるＴＸＯＰ２の持続時間５３２の間に送信される。従来の装置について、データ送信は、時間７０４まで完了ではない。
【００６５】
[0072]  それに対し、装置１００に関して、図７５０に例示されているように、データは、時間７０２で即座に（または、近似的に）送信され得る。時間７０２で、データは、送信のための準備が整っている。とりわけ、従来の装置は、装置１００のそのような態様を含まない。さらに、装置１００は、単一のＳＰにおいて（例えば、ＳＰの持続時間６１０の間に）データフレームＮ１  ５０２、Ｎ２  ５０４、Ｎ３  ５０６、Ｎ４  ５０８の全てを送信する。データフレームＮ１  ５０２、Ｎ２  ５０４、Ｎ３  ５０６、Ｎ４  ５０８の全てが単一のＳＰにおいて送信されるため、装置１００は、従来の装置のＤＣ１およびＤＣ２のもののような、媒体アクセス遅延の間に追加されるレイテンシに悩まされ（suffer from）ない（図７００を参照）。言い換えれば、いくつかの構成において、ＳＰの持続時間および／またはＳＰＩの持続時間は、媒体アクセス遅延（例えば、ＤＣ１およびＤＣ２）が、最小限にされる（例えば、２つ以上のＴＸＯＰを使用してデータを送信するための媒体アクセス遅延未満である）ように設定される。
【００６６】
[0073]  図７５０に例示されているように、装置１００は、時間７５４でデータフレームＮ１  ５０２、Ｎ２  ５０４、Ｎ３  ５０６、Ｎ４  ５０８の全ての送信を完了する。とりわけ、時間７５４は、従来の装置がデータ送信を完了する時間である時間７０４より早い。従って、装置１００の利益は、時間節約（time savings）７６０である。時間節約７６０は、従来の装置がデータ送信を完了する時間（例えば、時間７０４）と、装置１００がデータ送信を完了する時間（例えば、時間７５４）との間の差を指し得る。いくつかの構成において、時間節約７６０についての合計は、以下の数式を使用して決定され得る：総時間節約＝ｍ＊ＤＣ
[0074]  図８は、本開示の様々な態様に従って構成される装置によって行われる様々な方法および／または処理を例示する図８００である。そのような方法および／または処理は、装置１００によって行われ得る。ブロック８０２で、装置１００は、ＭＡＣレイヤ４１０でのデータの量が単一のＴＸＯＰにおいて送信可能なデータの最大量を超えるかどうかを決定し得る。例えば、図５を参照して、装置１００は、データフレームＮ１  ５０２、Ｎ２  ５０４、Ｎ３  ５０６、Ｎ４  ５０８の長さＬ１  ５１２、Ｌ２  ５１４、Ｌ３  ５１６、Ｌ４  ５１８の合計がＴＸＯＰ１の持続時間５２２を超えるかどうかを決定し得る。データフレームＮ１  ５０２、Ｎ２  ５０４、Ｎ３  ５０６、Ｎ４  ５０８の長さＬ１  ５１２、Ｌ２  ５１４、Ｌ３  ５１６、Ｌ４  ５１８の合計がＴＸＯＰ１の持続時間５２２を超える場合、ＭＡＣレイヤ４１０でのデータの量は、単一のＴＸＯＰにおいて送信可能なデータの最大量を超える。しかしながら、データフレームＮ１  ５０２、Ｎ２  ５０４、Ｎ３  ５０６、Ｎ４  ５０８の長さＬ１  ５１２、Ｌ２  ５１４、Ｌ３  ５１６、Ｌ４  ５１８の合計がＴＸＯＰ１の持続時間５２２を超えない場合、ＭＡＣレイヤ４１０でのデータの量は、単一のＴＸＯＰにおいて送信可能なデータの最大量を超えない。
【００６７】
[0075]  一方では、ＭＡＣレイヤ４１０でのデータの量が単一のＴＸＯＰにおいて送信可能なデータの最大量を超えない場合、ブロック８０２で、装置１００は、ＳＰを使用することなしにデータを送信し得る。送信のためにＳＰを使用する代わりに、装置１００は、送信のためにＴＸＯＰを利用し得る。例えば、図５を参照して、データフレームＮ１  ５０２、Ｎ２  ５０４、Ｎ３  ５０６、Ｎ４  ５０８の長さＬ１  ５１２、Ｌ２  ５１４、Ｌ３  ５１６、Ｌ４  ５１８の合計がＴＸＯＰ１の持続時間５２２を超えない場合、装置１００は、ＴＸＯＰ１の持続時間５２２の間にデータフレームＮ１  ５０２、Ｎ２  ５０４、Ｎ３  ５０６、Ｎ４  ５０８を送信し得る。
【００６８】
[0076]  他方では、ＭＡＣレイヤ４１０でのデータの量が単一のＴＸＯＰにおいて送信可能なデータの最大量を超える場合、ブロック８０４で、装置１００は、ＳＰの持続時間を、データを送信するために必要とされる持続時間以上であるように設定し得る。例えば、図６を参照して、装置１００は、ＳＰの持続時間を持続時間６１０に設定し得る。この例において、ＳＰの持続時間６１０は、データフレームＮ１  ５０２、Ｎ２  ５０４、Ｎ３  ５０６、Ｎ４  ５０８の全てを送信するために必要とされる持続時間と等しい。すなわち、ＳＰの持続時間６１０は、Ｎ１  ５０２を送信するために必要とされる持続時間（例えば、Ｌ１  ５１２）、Ｎ２  ５０４を送信するために必要とされる持続時間（例えば、Ｌ２  ５１４）、Ｎ３  ５０６を送信するために必要とされる持続時間（例えば、Ｌ３  ５１６）、およびＮ４  ５０８を送信するために必要とされる持続時間（例えば、Ｌ４  ５１８）の合計に等しい。続いて、またブロック８０４で、装置１００は、ＳＰの設定された持続時間（例えば、持続時間６１０）の間にデータを送信し得る。
【００６９】
[0077]  ブロック８０８で、装置１００は、ＳＰＩの持続時間をＳＰの持続時間以上、かつＳＰを使用することなしに（例えば、２つ以上のＴＸＯＰを使用して）データを送信するための持続時間以下であるように設定し得る。例えば、図６を参照して、装置１００は、ＳＰＩ１の持続時間６２０をＳＰの持続時間６１０に等しいように設定し得る。すなわち、ＳＰＩ１の持続時間６２０は、データフレームＮ１  ５０２、Ｎ２  ５０４、Ｎ３  ５０６、Ｎ４  ５０８の全てを送信するために必要とされる持続時間と等しい。それにもかかわらず、ＳＰＩ１の持続時間６２０は、ＳＰを使用することなしに（例えば、２つ以上のＴＸＯＰを使用して）データを送信するための持続時間５４０（図５を参照）以下である。すなわち、ＳＰＩ１の持続時間６２０は、ＤＣ１の持続時間５２０、ＴＸＯＰ１の持続時間５２２、ＤＣ２の持続時間５３０、およびＴＸＯＰ２の持続時間５３２の合計以下である。
【００７０】
[0078]  ブロック８１０で、装置は、ＳＰの設定された持続時間の間にデータを送信し得る。例えば、図６を参照して、装置１００は、ＳＰの持続時間６１０の間にデータフレームＮ１  ５０２、Ｎ２  ５０４、Ｎ３  ５０６、Ｎ４  ５０８を送信し得る。図８に例示されていないが、様々な他の方法および/または処理が、ブロック８１０に続き得る。
【００７１】
[0079]  図８に関して説明された方法および／または処理は、例示的な目的のために提供され、本開示の範囲を限定するようには意図されない。図８に関して説明された方法および／または処理は、本開示の範囲から逸脱することなしに本明細書に例示されたものとは異なる順序で行われ得る。さらに、図８に関して説明された方法および／または処理のいくつかまたは全ては、本開示の範囲から逸脱することなしに個々におよび／または合わせて行われ得る。開示された方法におけるステップの特定の順序または階層は、例証的な処理の例示であることが理解されるべきである。設計の選好（design preferences）に基づいて、方法におけるステップの特定の順序または階層は、並べ替えられ得ることが理解される。付随の方法の請求項は、サンプルの順序で様々なステップの要素を提示し、そこに明確に記載されていない限り、提示された特定の順序または階層に限定されるように意図されるものではない。
【００７２】
[0080]  本開示内で、「例証的な（exemplary）」という用語は、「例、事例、または例示としての役割を果たすこと（serving）」を意味するために使用される。「例証的」として本明細書に説明されるあらゆるインプリメンテーションまたは態様は、必ずしも、本開示の他の態様よりも好ましい、または有利であると解釈されるべきではない。同様に、「態様」という用語は、本開示の全ての態様が、説明された動作の特徴、利点、またはモードを含むことを必要とされない。「結合される」という用語は、２つのオブジェクトの間の直接または間接結合を指すように本明細書で使用される。例えば、オブジェクトＡがオブジェクトＢに物理的に接触し、オブジェクトＢがオブジェクトＣに接触する場合、オブジェクトＡおよびＣが−たとえそれらが互いに直接物理的に接触していなくても−なお互いに結合していると考えられ得る。例えば、第１のダイ（die）は、たとえ第１のダイが決して第２のダイと直接物理的に接触していないとしても、パッケージにおいて第２のダイに結合され得る。「回路（circuit）」および「電気回路（circuitry）」という用語は、広範に使用され、接続および構成されるとき、電気回路のタイプに関して制限なしに、本開示において説明された機能のパフォーマンスを可能にする電気デバイスおよびコンダクタのハードウェアインプリメンテーションと、ならびにプロセッサによって実行されるとき、本開示において説明された機能のパフォーマンスを可能にする情報および命令のソフトウェアインプリメンテーションとの両方を含むことを意図される。
【００７３】
[0081]  先の説明は、いかなる当業者であっても、本明細書に説明された様々な態様を実現することを可能にするために提供されている。これらの態様への様々な修正は、当業者に容易に明らかとなり、本明細書に定義された一般的な原理は、他の態様に適用され得る。このように、請求項は、本明細書に示された態様に限定されるように意図されたものではなく、請求項の文言と一貫する最大範囲を認められるべきであり、ここにおいて、単数形の要素への参照は、そのように明記されていない限りは「１つおよび１つのみ（one and only one）」を意味するのではなく、むしろ「１つ以上（one or more）」を意味するように意図される。そうではないと明記されていない限り、「何らかの／いくつかの（some）」という用語は、１つ以上を指す。項目のリスト「のうちの少なくとも１つ」を参照する表現は、単一のメンバを含む、それらの項目のうちの任意の組み合わせを参照するものである。例として、「ａ、ｂ、またはｃのうちの少なくとも１つ」は、ａ；ｂ；ｃ；ａおよびｂ；ａおよびｃ；ｂおよびｃ；ならびにａ、ｂおよびｃをカバーするように意図されている。当業者に既知の、または後に既知となる、本開示全体にわたって説明された様々な態様の要素と構造的および機能的に同等な物は全て、参照によって本明細書に明確に組み込まれ、特許請求の範囲に包含されるように意図される。さらに、本明細書で開示されたものはいずれも、特許請求の範囲において明示的に記載されているかどうかにかかわらず、公共に献呈されるように意図されない。要素が、「〜するための手段」という表現を使用して明確に記載されていない限り、あるいは方法の請求項の場合、要素が、「〜するためのステップ」という表現を使用して記載されていない限り、請求項のいずれの要素も、３５Ｕ．Ｓ．Ｃ．§１１２（ｆ）の規定の下に解釈されるべきではない。
【図１】
2018516487.tif 000003
【図２Ａ】
2018516487.tif 000004
【図２Ｂ】
2018516487.tif 000005
【図３Ａ】
2018516487.tif 000006
【図３Ｂ】
2018516487.tif 000007
【図４】
2018516487.tif 000008
【図５】
2018516487.tif 000009
【図６】
2018516487.tif 000010
【図７】
2018516487.tif 000011
【図８】
2018516487.tif 000012
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
装置による、コンテンションベースのネットワークにおけるワイヤレス通信の方法であって、
前記装置の媒体アクセス制御（ＭＡＣ）レイヤに、より高いレイヤからデータを配信することと、ここにおいて、前記データは、レイテンシセンシティブデータを備える、
前記データの量が単一の送信機会（ＴＸＯＰ）において送信可能なデータの最大量を超えるかどうかを決定することと、
前記データの前記量が前記単一のＴＸＯＰにおいて送信可能なデータの前記最大量を超えることが決定される場合、コンテンションなしでサービス期間（ＳＰ）の間に前記データを送信することと、ここで、前記ＳＰの持続時間が、前記データを送信するために必要とされる持続時間以上、かつサービス期間間隔（ＳＰＩ）以下であるように前記装置によって設定され、そしてそれは、２つ以上のＴＸＯＰを使用して前記データを送信するための持続時間以下であり、ここにおいて、前記ＳＰの前記持続時間は、データフレームのヘッダまたはペイロードにおけるインジケータを使用して設定される、
前記データの前記量が前記単一のＴＸＯＰにおいて送信可能なデータの前記最大量を超えないことが決定される場合、前記単一のＴＸＯＰを使用して前記データを送信することと
を備える、方法。
【請求項２】
前記ＳＰＩは、前記ＳＰの周期性に対応する、請求項１に記載の方法。
【請求項３】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定される、請求項２に記載の方法。
【請求項４】
前記ＳＰの前記持続時間および前記ＳＰＩの持続時間は、前記データのレイテンシ要件を示すインジケータに基づいて設定される、請求項２に記載の方法。
【請求項５】
前記レイテンシセンシティブデータは、等時性データまたは割り込みデータのうちの少なくとも１つを備える、請求項１に記載の方法。
【請求項６】
コンテンションベースのネットワークにおけるワイヤレス通信のための装置であって、
メモリと、
トランシーバと、
前記メモリおよび前記トランシーバに通信可能に結合される少なくとも１つのプロセッサと、ここにおいて、前記少なくとも１つのプロセッサは、
前記装置の媒体アクセス制御（ＭＡＣ）レイヤに、より高いレイヤからデータを配信することと、ここにおいて、前記データは、レイテンシセンシティブデータを備える、
前記データの量が単一の送信機会（ＴＸＯＰ）において送信可能なデータの最大量を超えるかどうかを決定することと、
前記データの前記量が前記単一のＴＸＯＰにおいて送信可能なデータの前記最大量を超えることが決定される場合、コンテンションなしでサービス期間（ＳＰ）の間に前記データを送信するために前記トランシーバを利用することと、ここで、前記ＳＰの持続時間が、前記データを送信するために必要とされる持続時間以上、かつサービス期間間隔（ＳＰＩ）以下であるように前記装置によって設定され、そしてそれは、２つ以上のＴＸＯＰを使用して前記データを送信するための持続時間以下であり、ここにおいて、前記ＳＰの前記持続時間は、データフレームのヘッダまたはペイロードにおけるインジケータを使用して設定される、
前記データの前記量が前記単一のＴＸＯＰにおいて送信可能なデータの前記最大量を超えないことが決定される場合、前記単一のＴＸＯＰを使用して前記データを送信するために前記トランシーバを利用することと
を行うように構成される、
を備える、装置。
【請求項７】
前記ＳＰＩは、前記ＳＰの周期性に対応する、請求項６に記載の装置。
【請求項８】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定される、請求項７に記載の装置。
【請求項９】
前記ＳＰの前記持続時間および前記ＳＰＩの持続時間は、前記データのレイテンシ要件を示すインジケータに基づいて設定される、請求項７に記載の装置。
【請求項１０】
前記レイテンシセンシティブデータは、等時性データまたは割り込みデータのうちの少なくとも１つを備える、請求項６に記載の装置。
【請求項１１】
コンテンションベースのネットワークにおけるワイヤレス通信のための装置のためのコンピュータ実行可能なコードを備えるコンピュータ読み取り可能な媒体であって、前記コードは、
前記装置の媒体アクセス制御（ＭＡＣ）レイヤに、より高いレイヤからデータを配信することと、ここにおいて、前記データは、レイテンシセンシティブデータを備える、
前記データの量が単一の送信機会（ＴＸＯＰ）において送信可能なデータの最大量を超えるかどうかを決定することと、
前記データの前記量が前記単一のＴＸＯＰにおいて送信可能なデータの前記最大量を超えることが決定される場合、コンテンションなしでサービス期間（ＳＰ）の間に前記データを送信することと、ここで、前記ＳＰの持続時間が、前記データを送信するために必要とされる持続時間以上、かつサービス期間間隔（ＳＰＩ）以下であるように前記装置によって設定され、そしてそれは、２つ以上のＴＸＯＰを使用して前記データを送信するための持続時間以下であり、ここにおいて、前記ＳＰの前記持続時間は、データフレームのヘッダまたはペイロードにおけるインジケータを使用して設定される、
前記データの前記量が前記単一のＴＸＯＰにおいて送信可能なデータの前記最大量を超えないことが決定される場合、前記単一のＴＸＯＰを使用して前記データを送信することと
を行うために構成される、コンピュータ読み取り可能な媒体。
【請求項１２】
前記ＳＰＩは、前記ＳＰの周期性に対応する、請求項１１に記載のコンピュータ読み取り可能な媒体。
【請求項１３】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定される、請求項１２に記載のコンピュータ読み取り可能な媒体。
【請求項１４】
前記ＳＰの前記持続時間および前記ＳＰＩの持続時間は、前記データのレイテンシ要件を示すインジケータに基づいて設定される、請求項１２に記載のコンピュータ読み取り可能な媒体。
【請求項１５】
前記レイテンシセンシティブデータは、等時性データまたは割り込みデータのうちの少なくとも１つを備える、請求項１１に記載のコンピュータ読み取り可能な媒体。
【請求項１６】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定され、
前記レイテンシセンシティブデータは、等時性データまたは割り込みデータのうちの少なくとも１つを備える、請求項１２に記載のコンピュータ読み取り可能な媒体。
【請求項１７】
コンテンションベースのネットワークにおけるワイヤレス通信のための装置であって、
前記装置の媒体アクセス制御（ＭＡＣ）レイヤに、より高いレイヤからデータを配信するための手段と、ここにおいて、前記データは、レイテンシセンシティブデータを備える、
前記データの量が単一の送信機会（ＴＸＯＰ）において送信可能なデータの最大量を超えるかどうかを決定するための手段と、
前記データの送信のためのサービス期間（ＳＰ）の持続時間を設定するための手段と、ここで、前記ＳＰの前記持続時間が、前記データを送信するために必要とされる持続時間以上、かつサービス期間間隔（ＳＰＩ）以下であるように前記装置によって設定され、そしてそれは、２つ以上のＴＸＯＰを使用して前記データを送信するための持続時間以下である、
決定するための前記手段が、前記データの前記量が前記単一のＴＸＯＰにおいて送信可能なデータの前記最大量を超えることを決定した場合、コンテンションなしで前記ＳＰの間に前記データを送信するように構成されるデータを送信するための手段と、ここにおいて、前記ＳＰの前記持続時間は、データフレームのヘッダまたはペイロードにおけるインジケータを使用して設定される、
ここにおいて、送信するための前記手段はさらに、決定するための前記手段が、前記データの前記量が前記単一のＴＸＯＰにおいて送信可能なデータの前記最大量を超えないことを決定した場合、前記単一のＴＸＯＰを使用して前記データを送信するように構成される
を備える、装置。
【請求項１８】
前記ＳＰＩは、前記ＳＰの周期性に対応する、請求項１７に記載の装置。
【請求項１９】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定される、請求項１８に記載の装置。
【請求項２０】
前記ＳＰの前記持続時間および前記ＳＰＩの持続時間は、前記データのレイテンシ要件を示すインジケータに基づいて設定される、請求項１８に記載の装置。
【請求項２１】
前記レイテンシセンシティブデータは、等時性データまたは割り込みデータのうちの少なくとも１つを備える、請求項１７に記載の装置。
【請求項２２】
前記ＳＰの前記持続時間および前記ＳＰＩの持続時間は、前記データを送信するための媒体アクセス遅延が、２つ以上のＴＸＯＰを使用して前記データを送信するための媒体アクセス遅延未満であるように設定され、
前記レイテンシセンシティブデータは、等時性データまたは割り込みデータのうちの少なくとも１つを備える、請求項１８に記載の装置。
【手続補正２】
【補正対象書類名】明細書
【補正対象項目名】００７３
【補正方法】変更
【補正の内容】
【００７３】
[0081]  先の説明は、いかなる当業者であっても、本明細書に説明された様々な態様を実現することを可能にするために提供されている。これらの態様への様々な修正は、当業者に容易に明らかとなり、本明細書に定義された一般的な原理は、他の態様に適用され得る。このように、請求項は、本明細書に示された態様に限定されるように意図されたものではなく、請求項の文言と一貫する最大範囲を認められるべきであり、ここにおいて、単数形の要素への参照は、そのように明記されていない限りは「１つおよび１つのみ（one and only one）」を意味するのではなく、むしろ「１つ以上（one or more）」を意味するように意図される。そうではないと明記されていない限り、「何らかの／いくつかの（some）」という用語は、１つ以上を指す。項目のリスト「のうちの少なくとも１つ」を参照する表現は、単一のメンバを含む、それらの項目のうちの任意の組み合わせを参照するものである。例として、「ａ、ｂ、またはｃのうちの少なくとも１つ」は、ａ；ｂ；ｃ；ａおよびｂ；ａおよびｃ；ｂおよびｃ；ならびにａ、ｂおよびｃをカバーするように意図されている。当業者に既知の、または後に既知となる、本開示全体にわたって説明された様々な態様の要素と構造的および機能的に同等な物は全て、参照によって本明細書に明確に組み込まれ、特許請求の範囲に包含されるように意図される。さらに、本明細書で開示されたものはいずれも、特許請求の範囲において明示的に記載されているかどうかにかかわらず、公共に献呈されるように意図されない。要素が、「〜するための手段」という表現を使用して明確に記載されていない限り、あるいは方法の請求項の場合、要素が、「〜するためのステップ」という表現を使用して記載されていない限り、請求項のいずれの要素も、３５Ｕ．Ｓ．Ｃ．§１１２（ｆ）の規定の下に解釈されるべきではない。
以下に本願の出願当初の特許請求の範囲に記載された発明を付記する。
［Ｃ１］
装置によるワイヤレス通信の方法であって、
前記装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信することと
を備える、方法。
［Ｃ２］
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
をさらに備える、Ｃ１に記載の方法。
［Ｃ３］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、Ｃ２に記載の方法。
［Ｃ４］
前記ＳＰの前記持続時間および前記ＳＰＩの前記持続時間は、前記データのレイテンシ要件を示すインジケータに基づいて設定される、Ｃ２に記載の方法。
［Ｃ５］
前記データは、レイテンシセンシティブデータを備える、Ｃ１に記載の方法。
［Ｃ６］
前記レイテンシセンシティブデータは、等時性データまたは割り込みデータのうちの少なくとも１つを備える、Ｃ５に記載の方法。
［Ｃ７］
前記ＭＡＣレイヤでのデータの前記量が前記単一のＴＸＯＰにおいて送信可能なデータの前記最大量を超えない場合、前記単一のＴＸＯＰを使用して前記データを送信すること
をさらに備える、Ｃ１に記載の方法。
［Ｃ８］
ワイヤレス通信のための装置であって、
メモリと、
トランシーバと、
前記メモリおよび前記トランシーバに通信可能に結合される少なくとも１つのプロセッサと、ここにおいて、前記少なくとも１つのプロセッサは、
前記装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信するために前記トランシーバを利用することと
を行うように構成される、
を備える、装置。
［Ｃ９］
前記少なくとも１つのプロセッサは、
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
を行うようにさらに構成される、Ｃ８に記載の装置。
［Ｃ１０］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、Ｃ９に記載の装置。
［Ｃ１１］
前記ＳＰの前記持続時間および前記ＳＰＩの前記持続時間は、前記データのレイテンシ要件を示すインジケータに基づいて設定される、Ｃ９に記載の装置。
［Ｃ１２］
前記データは、レイテンシセンシティブデータを備える、Ｃ８に記載の装置。
［Ｃ１３］
前記レイテンシセンシティブデータは、等時性データまたは割り込みデータのうちの少なくとも１つを備える、Ｃ１２に記載の装置。
［Ｃ１４］
前記少なくとも１つのプロセッサは、
前記ＭＡＣレイヤでのデータの前記量が前記単一のＴＸＯＰにおいて送信可能なデータの前記最大量を超えない場合、前記単一のＴＸＯＰを使用して前記データを送信するために前記トランシーバを利用することを行うようにさらに構成される、Ｃ８に記載の装置。
［Ｃ１５］
コンピュータ読み取り可能な媒体であって、
装置で媒体アクセス制御（ＭＡＣ）レイヤでのデータの量が単一の送信機会（ＴＸＯＰ）において送信可能なデータの最大量を超えるかどうかを決定することと、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信することと
を行うために構成されるコンピュータ実行可能なコードを備える、コンピュータ読み取り可能な媒体。
［Ｃ１６］
前記コンピュータ実行可能なコードは、
サービス期間間隔（ＳＰＩ）の持続時間を前記ＳＰの前記持続時間以上、かつ２つ以上のＴＸＯＰを使用して前記データを送信するための持続時間以下であるように設定すること、ここにおいて、前記ＳＰＩは、前記ＳＰの周期性に対応する、
を行うためにさらに構成される、Ｃ１５に記載のコンピュータ読み取り可能な媒体。
［Ｃ１７］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、Ｃ１６に記載のコンピュータ読み取り可能な媒体。
［Ｃ１８］
前記ＳＰの前記持続時間および前記ＳＰＩの前記持続時間は、前記データのレイテンシ要件を示すインジケータに基づいて設定される、Ｃ１６に記載のコンピュータ読み取り可能な媒体。
［Ｃ１９］
前記データは、レイテンシセンシティブデータを備える、Ｃ１５に記載のコンピュータ読み取り可能な媒体。
［Ｃ２０］
前記レイテンシセンシティブデータは、等時性データまたは割り込みデータのうちの少なくとも１つを備える、Ｃ１９に記載のコンピュータ読み取り可能な媒体。
［Ｃ２１］
前記コンピュータ実行可能なコードは、
前記ＭＡＣレイヤでのデータの前記量が前記単一のＴＸＯＰにおいて送信可能なデータの前記最大量を超えない場合、前記単一のＴＸＯＰを使用して前記データを送信するためにさらに構成される、Ｃ１５に記載のコンピュータ読み取り可能な媒体。
［Ｃ２２］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定され、
前記データは、等時性データまたは割り込みデータのうちの少なくとも１つを備える、レイテンシセンシティブデータを備える、Ｃ１６に記載のコンピュータ読み取り可能な媒体。
［Ｃ２３］
ワイヤレス通信のための装置であって、
前記装置で媒体アクセス制御（ＭＡＣ）レイヤでのデータの量が単一の送信機会（ＴＸＯＰ）において送信可能なデータの最大量を超えるかどうかを決定するための手段と、
前記ＭＡＣレイヤでのデータの前記量が前記単一のＴＸＯＰにおいて送信可能なデータの前記最大量を超える場合、前記データの送信のためのサービス期間（ＳＰ）の持続時間を、前記データを送信するために必要とされる持続時間以上であるように設定し、前記ＳＰの前記設定された持続時間の間に前記データを送信するための手段と
を備える、装置。
［Ｃ２４］
サービス期間間隔（ＳＰＩ）の持続時間を前記ＳＰの前記持続時間以上、かつ２つ以上のＴＸＯＰを使用して前記データを送信するための持続時間以下であるように設定するための手段、ここにおいて、前記ＳＰＩは、前記ＳＰの周期性に対応する、
をさらに備える、Ｃ２３に記載の装置。
［Ｃ２５］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定される、Ｃ２４に記載の装置。
［Ｃ２６］
前記ＳＰの前記持続時間および前記ＳＰＩの前記持続時間は、前記データのレイテンシ要件を示すインジケータに基づいて設定される、Ｃ２４に記載の装置。
［Ｃ２７］
前記データは、レイテンシセンシティブデータを備える、Ｃ２３に記載の装置。
［Ｃ２８］
前記レイテンシセンシティブデータは、等時性データまたは割り込みデータのうちの少なくとも１つを備える、Ｃ２７に記載の装置。
［Ｃ２９］
前記ＭＡＣレイヤでのデータの前記量が前記単一のＴＸＯＰにおいて送信可能なデータの前記最大量を超えない場合、前記単一のＴＸＯＰを使用して前記データを送信するための手段、
をさらに備える、Ｃ２３に記載の装置。
［Ｃ３０］
前記ＳＰの前記持続時間および前記ＳＰＩの前記持続時間は、前記データを送信するための媒体アクセス遅延が、２つ以上のＴＸＯＰを使用して前記データを送信するための媒体アクセス遅延未満であるように設定され、
前記データは、等時性データまたは割り込みデータのうちの少なくとも１つを備える、レイテンシセンシティブデータを備える、Ｃ２４に記載の装置。
【国際調査報告】
2018516487.tif 000013
2018516487.tif 000014
2018516487.tif 000015